(57)【特許請求の範囲】
【請求項１】
水平な回転軸線まわりに回転駆動され、表面にトナー像を静電気的に担持する感光体ドラムと、
断面形状が感光体ドラムの表面に臨んで開口する凹状のシールドケース内に、感光体ドラムの前記回転軸線に平行に張架される放電電極が設けられ、この放電電極の放電によって、感光体ドラムの表面上のトナー像を転写材に転写する転写手段と、
シールドケースの開口部に設けられ、転写材を感光体ドラムの回転方向下流側になるにつれて感光体ドラムの表面に近接する方向に案内する第１案内部材と、
第１案内部材に設けられ、シールドケースの前記感光体ドラムに臨む開口の一部を遮蔽する遮蔽部材と、
転写材を、感光体ドラムおよび転写手段の下方から、感光体ドラムと転写手段との間の転写領域を経て上方に向けて搬送する一対のローラから成るレジストローラを有する搬送手段と、
搬送手段によって、転写領域に向かって搬送される転写材を、前記転写手段よりも感光体ドラムの回転方向上流側で感光体ドラムに近接する方向に案内して第１案内部材に導く第２案内部材と、
搬送手段によって、第１または第２案内部材に案内されながら搬送される転写材を、前記転写領域内の予め定める転写位置に向けて案内し、転写領域の下方に配置される第３案内部材と、
転写領域よりも感光体ドラムの回転方向下流側に設けられ、転写材上に転写されたトナー像をその転写材に定着する定着手段とを含み、
第３案内部材は、可撓性および弾発性を有する材料から成る逆Ｖ字状の部材であり、感光体ドラムと第２案内部材との間に設けられ、
第３案内部材の転写材搬送方向下流側の先端部と、レジストローラの各ローラの接点部とを結ぶ第１延長線の感光体ドラムの表面との交点が、放電電極の中心軸線と遮蔽部材の開口に臨む先端部とを結ぶ第２延長線の感光体ドラムの表面との交点よりも、感光体ドラムの回転方向上流側に配置されるように、遮蔽部材ならびに第１および第３案内部材が配置されることを特徴とする画像形成装置。
【請求項２】
第１案内部材は、接地されていることを特徴とする請求項１記載の画像形成装置。
【請求項３】
遮蔽部材は、電気絶縁性材料から成ることを特徴とする請求項１または２に記載の画像形成装置。
【請求項４】
遮蔽部材は、第１案内部材の感光体ドラムに臨む部分の裏面に固定されることを特徴とする請求項１〜３のいずれかに記載の画像形成装置。
【請求項５】
遮蔽部材は、前記開口に臨む先端部が前記感光体ドラムの回転軸線と放電電極の中心軸線とを結ぶ直線よりも前記回転方向上流側に配置されることを特徴とする請求項１〜４のいずれかに記載の画像形成装置。
【請求項６】
遮蔽部材は、前記開口に臨む先端部へ向かうにつれて感光体ドラムの表面に近接する方向に傾斜して第１案内部材に固定されることを特徴とする請求項１〜５のいずれかに記載の画像形成装置。
【請求項７】
遮蔽部材は、感光体ドラムの回転軸線に沿って、感光体ドラム上の画像形成領域を含む範囲にわたって延びることを特徴とする請求項１〜６のいずれかに記載の画像形成装置。
【請求項８】
転写手段の放電電極は、コロナ放電を生じる放電ワイヤであることを特徴とする請求項１〜７のいずれかに記載の画像形成装置。
【請求項９】
転写手段の放電電極は、コロナ放電を生じる鋸歯状の放電部材であることを特徴とする請求項１〜７のいずれかに記載の画像形成装置。
【請求項１０】
転写領域は、給紙カセットの上方に配置されることを特徴とする請求項１〜９のいずれかに記載の画像形成装置。
【発明の詳細な説明】
【０００１】
【発明の属する技術分野】
本発明は、電子写真プロセスを用いて感光体ドラムの表面に形成されるトナー像を静電吸着力によって用紙に転写する転写工程を有する複写機およびプリンタなどの画像形成装置に関する。
【０００２】
【従来の技術】
図８は、典型的な従来の技術の画像形成装置１の一部を簡略化して示す断面図である。この画像形成装置１の全体的な電子写真プロセスは、帯電工程、露光工程、現像工程、転写工程、クリーニング工程、定着工程、および除電工程などの各種の工程から成る。画像形成装置１は、感光体ドラムである感光体ドラム２、帯電手段４、露光手段５、現像手段７、転写手段１１、定着手段１４、クリーニング手段１６、および除電手段１８を含む。これらの帯電手段４、露光手段５、現像手段７、転写手段１１、定着手段１４、クリーニング手段１６、および除電手段１８は、上記の各工程に対応して感光体ドラム２を外囲するようにして設けられる。
【０００３】
感光体ドラム２は、水平な回転軸線３まわりに矢符Ｓ３方向に回転駆動される。帯電工程において、感光体ドラム２の表面は、帯電手段４によって所定の電荷量に均一に帯電される。このような帯電手段４は、帯電用コロナ放電器６ａと、この帯電用コロナ放電器６ａに直流の高電圧を印加するための帯電用高電圧電源６ｂとを有する。露光工程において、この帯電された感光体ドラム２の表面には、露光手段５からの光照射によって、図示しない光学的読取手段によって読み取られた原稿像などの画像に対応した所定の静電潜像ポテンシャルが形成され、感光体ドラム２の表面に静電潜像が担持される。
【０００４】
前記感光体ドラム２は、導電性金属または導電性合成樹脂から成る直円筒状の基体と、この基体の外周面上に形成される下引き層と、この下引き層上に形成される感光層とを含んで構成される。前記感光層は、下引き層上に形成される比較的薄いキャリア発生層（略称ＣＧＬ）と、最外層に形成されるポリカーボネイトを主成分とした比較的厚いキャリア移動層（略称ＣＴＬ）とを有する。露光によってキャリア発生層でキャリアが発生し、このキャリアによって感光体ドラム２に帯電した電荷が相殺されて、前記静電潜像ポテンシャルが形成される。感光体ドラム２の表面上に担持された静電潜像は、感光体ドラム２が回転することによって、現像手段７の現像ローラ７ａと接触する現像領域８に搬送される。現像ローラ７ａは、水平な回転軸線９まわりに感光体ドラム２の回転方向Ｓ３とは反対の矢符Ｓ４方向に回転し、感光体ドラム２の表面に圧接される。
【０００５】
現像工程においては、現像ローラ７ａに担持されたトナーは、感光体ドラム２の表面に形成される静電潜像の電荷によって現像ローラ７ａから感光体ドラム２へ移動して付着し、静電潜像が顕像化され、こうして感光体ドラム２の表面に露光によって形成された静電潜像が現像される。上述した現像ローラ７ａには、図示しない現像用電源から所定のバイアス電圧が印加される。
【０００６】
現像後、感光体ドラム２の表面に付着したトナー１２ａは、感光体ドラム２の矢符Ｓ３方向への回転によって所定の転写領域１０に搬送される。この転写領域１０には、図示しない搬送手段によって紙などのコピー用紙Ｐが給紙され、コピー用紙Ｐは、感光体ドラム２上のトナー像形成領域にコピー用紙Ｐの被転写領域が一致するように、同期して搬送され、接触する。
【０００７】
転写領域１０に設けられる転写手段１１には、高電圧電源を具備したチャージャ型と接触ローラ型とがあり、トナー１２ａが転写される側の表面の極性と同一極性の電圧が感光体ドラム２に印加される。これによって、感光体ドラム２の表面のトナー１２ａがコピー用紙Ｐに静電気的に吸引されて移動し、コピー用紙Ｐ上にトナー像が転写される。
【０００８】
転写後のコピー用紙Ｐは、感光体ドラム２から剥離手段１３によって分離された後、コピー用紙Ｐ上のトナー１２ｂは、定着手段１４によってコピー用紙Ｐ上に、たとえば熱融解によって定着され、装置外部に排出される。剥離手段１３には、剥離用電源１５によってバイアス電圧が印加される。
【０００９】
また、転写後の感光体ドラム２の表面は、クリーニング手段１６に設けられたブレード１７によって清掃された後、除電手段１８によって表面に残存する電荷が除去され、電気的に初期化される。除電手段１８は、光除電ランプまたは接触除電器によって実現される。
【００１０】
上記の転写手段１１は、コロナ放電器２１と、このコロナ放電器２１に高電圧を与える高電圧電源２２とを有する。コロナ放電器２１は、感光体ドラム２の表面に対向して配設され、この感光体ドラム２の表面に臨んで広く開口する放電ケース２６と、この放電ケース２６内に張設した放電ワイヤ２７とを有する。この放電ワイヤ２７に高電圧電源２２から高電圧を印加してコロナ放電を発生させ、このコロナ放電によって感光体ドラム２上のトナー像が転写材Ｐに転写される。
【００１１】
図９は、図８の画像形成装置１の転写手段１１を簡略化して示す断面図である。放電ケース２６は、その長手方向に垂直な断面形状が凹状であり、この放電ケース２６は感光体ドラム２と対向する側に開口した開口部２４を有する。このような従来の技術では、コロナ放電による転写領域１０が転写手段１１の周辺の広い範囲にわたって及ぶことになり、コピー用紙Ｐが感光体ドラム２に密着する前に、感光体ドラム２からコピー用紙Ｐへのトナー１２ａの移動が始まり、コピー用紙Ｐの画像の周辺部に前記トナー１２ａの付着による汚れが生じて画像をぼかし、画質の低下を引き起こす。
【００１２】
このようなコピー用紙Ｐの汚れおよび画質の低下を防止する他の従来の技術における転写手段では、図１０に示されるように、転写用の放電ケース２６の開口部２４の一部を遮蔽するための遮蔽部材２５を設ける方法が周知であり、この遮蔽部材２５を用いる従来の技術は、たとえば特開昭６３−２２１３７２号公報および特開平９−５４５０７号公報に開示されている。
【００１３】
図１１は、さらに他の従来の技術の画像形成装置１ａの一部を簡略化して示す断面図である。なお、図８に示される上述の従来の技術と対応する部分には、同一の参照符を付し、重複する部分の説明は省略する。この従来の技術の画像形成装置１ａでは、感光体ドラム２の回転と同期してレジストローラ３１からコピー用紙Ｐがペーパーガイド部材３２と搬送ガイド部材３３との間を通り、感光体ドラム２に導かれる。ペーパーガイド部材３２は、感光体ドラム２上のトナー像をコピー用紙Ｐ上に転写するための転写領域３４にコピー用紙Ｐを搬送して供給する際のガイドとなる案内部材である。放電ケース２６の開口部２４に設けられる転写ガイド部材３５は、コピー用紙Ｐの感光体ドラム２への密着性が充分得られるように、コピー用紙Ｐの感光体ドラム２に対する搬送方向または転写位置を決める作用があり、また搬送ガイド部材３３の先端部３６の位置は転写性能に大きく影響を与える。
【００１４】
【発明が解決しようとする課題】
上記の図１１に示される従来の技術では、図８〜図１０に記される各従来の技術とは異なり、コピー用紙Ｐを垂直方向に下から上へ縦搬送するため、新たな問題として、トナーの飛散などによって、転写手段１１の下方に配置される給紙カセット３７および用紙搬送用レジストローラ３１などが、転写領域３４において飛び散ったトナーによって汚されてしまうという問題がある。
【００１５】
本発明の目的は、転写領域に転写材を最適な経路を通って案内されるようにして、転写性能の低下を防ぎ、安定した高品質の画像を形成することができるようにした画像形成装置を提供することである。
【００１６】
【課題を解決するための手段】
本発明は、水平な回転軸線まわりに回転駆動され、表面にトナー像を静電気的に担持する感光体ドラムと、
断面形状が感光体ドラムの表面に臨んで開口する凹状のシールドケース内に、感光体ドラムの前記回転軸線に平行に張架される放電電極が設けられ、この放電電極の放電によって、感光体ドラムの表面上のトナー像を転写材に転写する転写手段と、
シールドケースの開口部に設けられ、転写材を感光体ドラムの回転方向下流側になるにつれて感光体ドラムの表面に近接する方向に案内する第１案内部材と、
第１案内部材に設けられ、シールドケースの前記感光体ドラムに臨む開口の一部を遮蔽する遮蔽部材と、
転写材を、感光体ドラムおよび転写手段の下方から、感光体ドラムと転写手段との間の転写領域を経て上方に向けて搬送する一対のローラから成るレジストローラを有する搬送手段と、
搬送手段によって、転写領域に向かって搬送される転写材を、前記転写手段よりも感光体ドラムの回転方向上流側で感光体ドラムに近接する方向に案内して第１案内部材に導く第２案内部材と、
搬送手段によって、第１または第２案内部材に案内されながら搬送される転写材を、前記転写領域内の予め定める転写位置に向けて案内し、転写領域の下方に配置される第３案内部材と、
転写領域よりも感光体ドラムの回転方向下流側に設けられ、転写材上に転写されたトナー像をその転写材に定着する定着手段とを含み、
第３案内部材は、可撓性および弾発性を有する材料から成る逆Ｖ字状の部材であり、感光体ドラムと第２案内部材との間に設けられ、
第３案内部材の転写材搬送方向下流側の先端部と、レジストローラの各ローラの接点部とを結ぶ第１延長線の感光体ドラムの表面との交点が、放電電極の中心軸線と遮蔽部材の開口に臨む先端部とを結ぶ第２延長線の感光体ドラムの表面との交点よりも、感光体ドラムの回転方向上流側に配置されるように、遮蔽部材ならびに第１および第３案内部材が配置されることを特徴とする画像形成装置である。
【００１７】
本発明に従えば、第１，第２および第３案内部材を設けることによって、転写領域の直前まで転写材を転写材の種類にかかわらず正確にかつ確実に案内することができ、転写領域に転写材を最適な経路を通って案内されるようにして、転写性能の低下を防ぐことができる。また垂直方向に下から上へ縦搬送させる画像形成装置においては、転写領域が感光体ドラムの真横付近に設置されることが多く、転写領域の下方に位置する転写材を搬送するためのレジストローラを飛散したトナーで汚す場合があるが、第３案内部材を転写領域の下方に配置することによって、上述したようなトナーによる汚れを防止でき、安定した高品質の画像を形成することができる。
【００１８】
また、第３案内部材を可撓性および弾発性を有する材料で構成することによって、転写材の腰の強さとも呼ばれる曲げ強度、あるいは厚さ等のばらつきがあっても第３案内部材が変形することで、吸収することができる。またこれによって転写材の種類が異なっても、感光体ドラムの表面に確実に搬送することができ、転写材の後端における転写不良などを防止できる。さらに、第３案内部材は、逆Ｖ字状の部材であり、感光体ドラムと第２案内部材との間に設けることから、第３案内部材が転写領域の下方に配置され、第３案内部材が感光体ドラムの表面に沿って延びるカバー部分を有することになる。そうすることによって、転写領域に確実に転写材を案内して高い転写性能を維持し、転写領域におけるトナー等の飛び散りが、その周辺下部のレジストローラおよび転写材の搬送経路に及ばないようにして、上述したようなトナーによる汚れを防止し、画質の低下を防止する。
【００１９】
さらに、転写材の感光体ドラムへの非密着領域においては、不要な感光体ドラム上のトナーが飛散して付着して、文字太りや線画像の周辺に多数の点状の飛散画像がついて、転写不良を生じさせる場合があるが、上述したように遮蔽部材ならびに第１および第３案内部材が配置されることによって、上述したような転写不良を防止することができる。
【００２０】
また本発明は、第１案内部材は、接地されていることを特徴とする。
【００２１】
本発明に従えば、第１案内部材における放電電極による放電電荷および転写材の搬送に伴い生じる摩擦帯電電荷を、第１案内部材を接地することによって、蓄積することなく逃がすことができる。これによって飛散トナーによる転写材の裏面の汚れを防止することができる。
【００２２】
また本発明は、遮蔽部材は、電気絶縁性材料から成ることを特徴とする。
【００２３】
本発明に従えば、遮蔽部材を導電性材料から構成すると、遮蔽部材に放電電流が集中して感光体ドラムへの放電電流が低減するので、感光体ドラムに流れる転写電流が低下し、転写効率低下を引き起こすが、遮蔽部材を電気絶縁性材料を用いることによって、高い転写効率を長期にわたって維持することができる。
【００２４】
また本発明は、遮蔽部材は、第１案内部材の感光体ドラムに臨む部分の裏面に固定されることを特徴とする。
【００２５】
本発明に従えば、シールドケースおよび第１案内部材が、導電性材料で構成されている場合において、第１案内部材の裏面に電気絶縁性材料から成る遮蔽部材を固定することによって、転写するための放電電流が無駄にシールドケースおよび第１案内部材に流れることが防止され、転写効率が低下して転写不良などが発生するのを防止することができる。
【００２６】
また本発明は、遮蔽部材は、前記開口に臨む先端部が前記感光体ドラムの回転軸線と放電電極の中心軸線とを結ぶ直線よりも前記回転方向上流側に配置されることを特徴とする。
【００２７】
本発明に従えば、転写領域を充分に確保することができ、転写不良を防止することができる。
【００２８】
また本発明は、遮蔽部材は、前記開口に臨む先端部へ向かうにつれて感光体ドラムの表面に近接する方向に傾斜して第１案内部材に固定されることを特徴とする。
【００２９】
本発明に従えば、搬送手段より搬送されてきた転写材が、より感光体ドラムの表面に接しやすくなり、転写材と感光体ドラムとが密着する転写領域内の転写装置を充分に確保することにより、高効率の転写性能が得られる。
【００３０】
また本発明は、遮蔽部材は、感光体ドラムの回転軸線に沿って、感光体ドラム上の画像形成領域を含む範囲にわたって延びることを特徴とする。
【００３１】
本発明に従えば、たとえば感光体ドラムの軸線方向の有効画像形成領域の長さに対して、遮蔽部材の長さが短いと、転写電流が画像域に漏れて転写メモリが残ることがあるが、このような不具合を確実に防止することができる。
【００３２】
また本発明は、転写手段の放電電極は、コロナ放電を生じる放電ワイヤであることを特徴とする。
【００３３】
本発明に従えば、放電電極の構造が簡単となり、量産性が高くなるとともに低コスト化を実現することができる。
【００３４】
また本発明は、転写手段の放電電極は、コロナ放電を生じる鋸歯状の放電部材であることを特徴とする。
【００３５】
本発明に従えば、放電ワイヤを放電電極として用いる場合に比べて、放電によって発生するオゾンの量を低減できる。
【００３６】
また本発明は、転写領域は、給紙カセットの上方に配置されることを特徴とする。
【００３７】
本発明に従えば、転写領域は、転写材を収容した給紙カセットの上方に配置されるから、感光体ドラムの表面などに捕捉されなかったトナーは、飛散し、浮遊し、あるいは沈降して、前記給紙カセット内の転写材に付着する。このようにトナーが給紙カセット内の転写材に沈積すると、そのトナーが転写材に付着されたままで給紙されて定着されてしまい、コピー画像の画質が低下してしまう。しかし、転写領域の下方に第３案内部材を配置し、また第３案内部材が逆Ｖ字状の部材であることによって、転写領域におけるトナー等の飛び散りが、その周辺下部の転写材の搬送経路に及ばないようにして、上記のようなトナーによる汚れを防止し、画像の低下を防止することができる。
【００３８】
【発明の実施の形態】
図１は、本発明の実施の一形態の画像形成装置４１の一部を簡略化して示す断面図であり、図２は図１に示される画像形成装置４１の全体の構成を示す断面図であり、図３は図１および図２に示される画像形成装置４１の外観を示す斜視図である。本実施の形態の画像形成装置４１は、水平な回転軸線４３まわりに矢符Ｓ１方向に回転駆動され、外周面内の有効画像形成領域４４ａを有する表面４４にトナー像を静電気的に担持する感光体ドラム４５と、断面形状が感光体ドラム４５の表面４４に臨んで開口する凹状のシールドケース４６内に、感光体ドラム４５の前記回転軸線４３に平行に張架される放電電極である放電ワイヤ４７が設けられ、この放電ワイヤ４７の放電によって、感光体ドラム４５の表面４４上のトナー像を転写材であるコピー用紙Ｐに転写する転写手段４８とを含む。
【００３９】
この画像形成手段４１はまた、シールドケース４６の開口部４９に設けられ、コピー用紙Ｐを感光体ドラム４５の回転方向Ｓ１下流側になるにつれて感光体ドラム４５の表面４４に近接する方向に案内する第１案内部材５０と、第１案内部材５０に設けられ、シールドケース４６の前記感光体ドラム４５に臨む開口の一部を遮蔽する遮蔽部材５１と、コピー用紙Ｐを、感光体ドラム４５および転写手段４８の下方から、感光体ドラム４５と転写手段４８との間の転写領域５２を経て上方に向けて搬送する一対のローラ５３ａ，５３ｂから成るレジストローラ５４を有する搬送手段５５と、搬送手段５５によって転写領域５２に向かって搬送されるコピー用紙Ｐを、前記転写手段４８よりも感光体ドラム４５の回転方向Ｓ１上流側で感光体ドラム４５に近接する方向に案内して第１案内部材５０に導く第２案内部材５６と、転写領域５２の下方に配置され、搬送手段５５によって、第１または第２案内部材５０，５６に案内されながら搬送されるコピー用紙Ｐを、前記転写領域５２内の予め定める転写位置５２ａに向けて案内する第３案内部材５７と、転写領域５２よりも感光体ドラム４５の回転方向Ｓ１下流側に設けられ、コピー用紙Ｐ上に転写されたトナー像をそのコピー用紙Ｐに定着する定着手段５８とを含む。
【００４０】
帯電工程において、感光体ドラム４５の表面４４は、帯電手段６１によって所定の電荷量に均一に帯電され、露光工程において、この帯電された感光体ドラム４５の表面４４には、露光手段６２からの光照射によって、後述する光学的読取手段１１３によって読み取られた原稿像などの画像に対応した所定の静電潜像ポテンシャルが形成され、感光体ドラム４５の表面４４に静電潜像が担持される。
【００４１】
前記感光体ドラム４５は、導電性金属または導電性合成樹脂から成る直円筒状の基体と、この基体の外周面上に形成される下引き層と、この下引き層上に形成される感光層とを含んで構成される。前記感光層は、下引き層上に形成される比較的薄いキャリア発生層（略称ＣＧＬ）と、最外層に形成されるポリカーボネイトを主成分とした比較的厚いキャリア移動層（略称ＣＴＬ）とを有する。露光によってキャリア発生層でキャリアが発生し、このキャリアによって感光体ドラム４５に帯電した電荷が相殺されて、前記静電潜像ポテンシャルが形成される。感光体ドラム４５の表面４４上に担持された静電潜像は、感光体ドラム４５が回転することによって、現像手段６５の現像ローラ６６と接触する現像領域６７に搬送される。
【００４２】
現像工程において、現像ローラ６６は、水平な回転軸線６８まわりに感光体ドラム４５の回転方向Ｓ１とは反対の矢符Ｓ２方向に回転し、感光体ドラム４５の表面４４に圧接される。これによって現像ローラ６６に担持されたトナーは、感光体ドラム４５の表面４４に形成される静電潜像の電荷によって、現像ローラ６６から感光体ドラム４５へ移動して付着し、静電潜像が顕像化され、こうして感光体ドラム４５の表面４４に露光によって形成された静電潜像が現像される。現像ローラ６６には、図示しない現像用電源から所定のバイアス電圧が印加される。
【００４３】
現像後、感光体ドラム４５の表面に付着したトナーは、感光体ドラム４５の矢符Ｓ１方向への回転によって所定の転写領域５２に搬送される。この転写領域５２には、搬送手段５５によって紙などのコピー用紙Ｐが給紙され、コピー用紙Ｐは、感光体ドラム４５上のトナー像形成領域にコピー用紙Ｐの被転写領域が一致するように、同期して搬送され、接触する。
【００４４】
転写領域５２に設けられる転写手段４８には、高電圧電源を具備したチャージャ型と接触ローラ型とがあり、本実施形態における転写手段４８は、コロナ放電器６３と、このコロナ放電器６３に高電圧を与える高電圧電源６４を有する。転写手段４８は、放電用ワイヤ４７に高電圧電源６４から高電圧を印加してコロナ放電を発生し、トナーが転写される側の表面の極性と同一極性の電圧が感光体ドラム４５に印加される。これによって、感光体ドラム４５の表面４４のトナーがコピー用紙Ｐに静電気的に吸引されて移動し、コピー用紙Ｐ上にトナー像が転写される。
【００４５】
転写後のコピー用紙Ｐは、感光体ドラム４５から図示しない剥離手段によって分離された後、コピー用紙Ｐ上のトナーは、定着手段５８によってコピー用紙Ｐ上に、たとえば熱融解によって定着され、装置外部に排出される。剥離手段には、剥離用電源によってバイアス電圧が印加される。また、転写後の感光体ドラム４５の表面４４は、クリーニング手段７０によって掃除された後、図示しない除電手段によって表面４４に残存する電荷が除去され、電気的に初期化される。除電手段は、光除電ランプまたは接触除電器によって実現される。
【００４６】
図１を参照して、上記の転写手段４８のシールドケース４６は、その長手方向に垂直な断面形状が感光体ドラム４５に向かって開口する凹状に形成され、導電性を有する金属から成る。シールドケース４６には、前記開口部４９の感光体ドラム４５の回転方向Ｓ１上流側の下縁辺部分８１には、前記第１案内部材５０が設けられ、この第１案内部材５０には前記遮蔽部材５１が設けられる。
【００４７】
遮蔽部材５１は、シールドケース４６内の放電ワイヤ４７から感光体ドラム４５への開口部４９の一部を遮蔽し、転写手段４８の転写領域５２を感光体ドラム４５とコピー用紙Ｐとが密接する部分にのみして形成する。さらに第１案内部材５０よりもコピー用紙Ｐの搬送方向上流側には、上記の第２案内部材５６が設けられる。この第２案内部材５６は、転写領域５２に向かって搬送されるコピー用紙Ｐを、転写手段４８よりも感光体ドラム４５の回転方向Ｓ１の上流側で感光体ドラム４５に近接する方向に案内して第１案内部材５０に導くための部材である。
【００４８】
さらに一対のローラ５３ａ，５３ｂから成るレジストローラ５４の回転によって搬送されるコピー用紙Ｐが、感光体ドラム４５に密着して、滑らかに転写領域５２に搬送され，感光体ドラム４５の表面４４上のトナー像をコピー用紙Ｐ上に転写するための最適な転写位置５２ａに、正確にコピー用紙Ｐを導くための部材である。前記第３案内部材５７が感光体ドラム４５と第２案内部材５６との間に設けられる。第３案内部材５７は、前記第２案内部材５６に対向する用紙案内部分８２と、この用紙案内部分８２の感光体ドラム４５の回転方向Ｓ１下流側の端部に連なり、感光体ドラム４５の前記表面を含む外周面に沿って前記回転方向Ｓ１上流側に延びるカバー部分８３とを有し、大略的に逆Ｖ字状に形成される。
【００４９】
具体的には、まず、感光体ドラム４５の表面４４に対向し、感光体ドラム４５の回転軸線４３および放電ワイヤ４７の中心軸線９３を含む第１仮想平面９４と、感光体ドラム４５の表面４４とが交差する回転軸線４３に平行な一直線ｍ１を含み、前記感光体ドラム４５の表面４４に対する接線方向の第２仮想平面９５を想定する。前記シールドケース４６は、感光体ドラム４５に臨んで開放する凹状に形成され、上壁９６と、下壁９７と、上壁９６および下壁９７の感光体ドラム４５側の各一端部とは反対側の各他端部に直角に連なる底壁９８とを有する。前記第１案内部材５０は、前記下壁９７の一端部に固定され、上方になるにつれて感光体ドラム４５に近接し、表面４４に対向する下案内面９９と、下案内面９９の上端に屈曲して連なり、前記第２仮想平面９５にほぼ平行な上案内面１００とを有する。前記遮蔽部材５１は、その下端部が前記上案内面１００とは反対側（図１の右側）の裏面１０１に固定される。この固定は、たとえば接着による。
【００５０】
前記第２案内部材５６は、第１案内部材５０の下案内面９９を含む第３仮想平面１０３内に対向表面５６ａを有する。この対向表面５６ａおよび下案内面９９は同一面内にあり、したがって第３仮想平面１０３は、第２仮想平面９５に対して予め定める第１角度θ１を成す。この第１角度θ１は、１０〜４０゜に選ばれ、好ましくは２５゜に選ばれる。
【００５１】
第３案内部材５７は、上記の用紙案内部分８２とカバー部分８３とが連なる連結部分となるコピー用紙Ｐの搬送方向下流側の先端部８４に形成され、転写領域５２に向けて凸に湾曲して略円筒面の一部を成し、頂点８５ａが前記第１案内部材５０の上端部５０ａまたはその付近の直下に形成される上面８５と、前記カバー部分８３に形成され、上面８５の前記回転方向Ｓ１上流側に連なり、感光体ドラム４５の表面４４を含む外周面に対して周方向にほぼ一定の間隔ΔＴをあけ、回転軸線４３に向けて凹状に湾曲する略円筒面の一部を成すトナー案内面８６と、前記用紙案内部分８２に形成され、第２案内部材５６のコピー用紙Ｐの搬送経路に臨む対向表面５６ａに対向し、この対向表面５６ａに対してコピー用紙Ｐの搬送方向上流側になるにつれて離反する方向に傾斜する用紙案内面８７とを有する。
【００５２】
これらの上面８５およびトナー案内面８６および用紙案内面８７は、図１の紙面に垂直な方向、すなわち感光体ドラム４５の回転軸線４３方向に全長にわたって延びる。前記用紙案内面８７は、第３仮想平面１０３に対して予め定める第２角度θ２を成す。この第２角度θ２は、１０〜４０゜に選ばれ、好ましくは２０゜に選ばれる。
【００５３】
このような第３案内部材５７ならびに前述の第１および第２案内部材５０，５７によって、次のような効果を達成することができる。ここで、第１〜第３案内部材５０，５６，５７を設けない場合を想定したとき、画像形成装置４１によって複写を行う際に、コピー用紙Ｐを収容した給紙カセット８８およびレジストローラ５４の上方に配置される転写領域５２から、感光体ドラム４５の表面４４およびコピー用紙Ｐの表面に捕捉されなかったトナーは、飛散し、浮遊し、あるいは沈降して、前記給紙カセット８８内のコピー用紙Ｐおよびレジストローラ５４に付着する。このようなトナーが給紙カセット８８内のコピー用紙Ｐに沈積すると、そのトナーがコピー用紙Ｐに付着されたままで給紙されて定着されてしまい、コピー画像の画質が低下してしまう。またレジストローラ５４上に沈積したトナーは、付着したままで各ローラ５３ａ，５３ｂが回転して、その間を通過したコピー用紙Ｐに転写されて、そのまま定着されてしまうため、コピー画像の画質の低下を引き起こしてしまう。特に、第３案内部材５７は、転写領域５２へのコピー用紙Ｐを円滑に搬送することができる搬送方向および搬送経路の決定に大きく影響を及ぼし、また、厚紙などの転写材の種類によって生じる転写後の後端の転写不良を防止する上で、第３案内部材５７の位置および形状が大きく作用する。
【００５４】
本実施の形態では、転写領域５２の下方に第３案内部材５７を配置し、また第３案内部材５７に感光体ドラム４５の表面４４に沿って延びるカバー部分８３を設けることによって、転写領域５２に確実にコピー用紙Ｐを案内して高い転写性能を維持し、転写領域５２におけるトナー等の飛び散りが、その周辺下部のコピー用紙Ｐの搬送経路に及ばないようにして、上述したようなトナーによる汚れを防止し、画質の低下を防止する。
【００５５】
また、第３案内部材５７の先端部８４とレジストローラ５４の各ローラ５３ａ，５３ｂの接点部５９を結ぶラインＬ３と、第２案内部材５６の先端部６０とレジストローラ５４の接点部５９を結ぶラインＬ４との間をコピー用紙Ｐは、搬送される。しかし、通常は、第３案内部材５７に沿った形（接触する）で、コピー用紙Ｐは、搬送されている。このとき、転写領域５２（感光体ドラム４５上での）に入ってから、コピー用紙Ｐが感光体ドラム４５に密着するように搬送経路が設定されていると、非密着領域においては、感光体ドラム４５上の不要なトナーが飛散して付着して、文字太りや線画像の周辺に多数の点状の飛散画像がついて、転写不良を生じさせる。
【００５６】
したがって本実施形態においては、第３案内部材５７の先端部８４とレジストローラ５４の接点部５９とを結ぶ第１延長線Ｌ１の感光体ドラム４５の表面４４との交点Ａが、転写用放電ワイヤ４７の中心軸線９３と前記遮蔽部材５１の先端部５１ａを結ぶ第２延長線Ｌ２の感光体ドラム４５の表面４４との交点Ｂに対して、感光体ドラム４５の回転方向５１の上流側に位置させることによって、上述したような転写不良を防止することができる。転写領域５２に入る前に、コピー用紙Ｐが感光体ドラム４５に密着できるように、第３案内部材５７およびレジストローラ５４の位置が設定される。
【００５７】
また第３案内部材５７は可撓性および弾発性を有する材料によって形成されるので、コピー用紙Ｐの腰の強さとも呼ばれる曲げ強度および厚さなどのばらつきがあっても、第３案内部材５７が変形することによって、吸収することができる。これによってコピー用紙Ｐの種類が異なっても、感光体ドラム４５の表面４４に確実に搬送することができ、コピー用紙Ｐの後端における転写不良などを防止できる。
【００５８】
シールドケース４６および第１案内部材５０は、放電ワイヤ４７には放電電荷、およびコピー用紙Ｐの搬送に伴って生じる摩擦帯電電荷の蓄積を防ぐため、接地されている。したがって第１案内部材５０に、放電電荷および摩擦帯電電荷が蓄積されることがないので、飛散するトナーがコピー用紙Ｐの裏面に付着して汚れることが防止される。
【００５９】
図２および図３を参照して、画像形成装置４１は、原稿１１４の画像情報を読取るためのスキャナ部１０９を有している。スキャナ部１０９は、蓋体１１０の下方に、上面１１１が透明なガラス等から成る原稿載置台１１２を有している。この原稿載置台１１２の下方には、光学的読取手段１１３が配されている。この光学的読取手段１１３は、原稿載置台１１２上に載置される原稿１１４に光を照射する露光用光源１１５を備え、原稿１１４からの反射光は、たとえば仮想線１１６で示すように、複数の反射鏡１１９，１２０，１２１によって結像レンズ１１７を通して光路中に配置された受光素子１１８に導かれる。前記受光素子１１８は、光電変換素子によって実現され、さらに具体的には電荷結像素子（略称ＣＣＤ；Charge Coupled Device）によって実現される。
【００６０】
スキャナ部１０９において読取られた原稿１１４の画像情報は、画像形成部１２４によって画像化される。受光素子１１８によって読取られた原稿画像情報は、２値化処理などを含む画像処理が行われ、この画像処理後の画像信号に基づいて、たとえばレーザスキャニングユニット（以下、ＬＳＵと略記する）から成る露光手段６２は、レーザ光を感光体ドラム４５の表面４４に照射し、静電潜像を形成する。
【００６１】
感光体ドラム４５は、前記回転軸線４３まわりに矢符Ｓ１で示す方向に回転駆動される直円筒状のいわばドラム形状を成しており、この感光体ドラム４５の周囲には、レーザ照射点から感光体ドラム４５の回転方向Ｓ１に向かって、レーザ光の照射によって露光された感光体ドラム４５の表面４４の静電潜像を、トナーの付着によって可視像に顕像化する現像手段６５、感光体ドラム４５上のトナー像をコピー用紙Ｐに転写する転写手段４８、感光体ドラム４５の表面４４の残留トナーを除去するクリーニング手段７０、感光体ドラム４５の表面４４を均一に所定の電位に帯電させる帯電手段６１、および感光体ドラム４５のレーザ照射点Ｄに向かってレーザ光を照射する露光手段６２が順次的に設けられる。上記の感光体ドラム４５、現像手段６５、転写手段４８、帯電手段６１、および露光手段６２を含んで、画像形成部１２４は構成される。
【００６２】
また、複数のコピー用紙Ｐは、画像形成部１２４の下方に設けられる給紙部１２６に着脱自在に装着される給紙カセット８８内に積重して収容される。給紙カセット８８の給紙方向下流側の先端部には、コピー用紙Ｐを給紙するための断面形状が半月状の給紙ローラ８９が配置される。この給紙ローラ８９には、最上位のコピー用紙Ｐが下方から当接し、図示しないスタート釦の押圧によって給紙ローラ８９が回転して、前記最上位のコピー用紙Ｐが給紙方向に給紙される。
【００６３】
供給されたコピー用紙Ｐの搬送方向下流側に向かって、コピー用紙Ｐの通過を検知するためのレジスト前検知スイッチＳＷ１、前記レジスト前検知スイッチＳＷ１の信号に応答して感光体ドラム４５の表面４４上のトナー像とコピー用紙Ｐの位置決めを行うレジストローラ５４、感光体ドラム４５の表面４４上のトナー像をコピー用紙Ｐに転写する転写手段４８、上方に配置される圧ローラ９０ａおよびその下方に配置される熱ローラ９０ｂを有し、コピー用紙Ｐの表面４４上のトナー像を熱と圧力とによってコピー用紙Ｐ上に定着させる定着手段５８である定着ローラ９０と、この定着ローラ９０をコピー用紙Ｐが通過したことを検知する定着紙検知スイッチＳＷ２と、排紙ローラ９１の搬送方向上流側でコピー用紙Ｐが通過したことを検知する排紙検知スイッチＳＷ３、コピー用紙Ｐを排出するための前記排紙ローラ９１が順次的に配置されている。
【００６４】
また、コピー用紙Ｐは、使用者の要求によって一枚ずつ給紙するための図示しない手差し給紙部から挿入される場合、前記レジストローラ５４まで挿入された後、感光体ドラム４５の表面４４上のトナー像とコピー用紙Ｐの位置決めを行うレジストローラ５４の回転で上述した転写工程が実行される。
【００６５】
このようにしてトナー画像が定着された画像形成後のコピー用紙Ｐは、前記画像形成部１２４の図２において左方となる一側方であり、かつ前記給紙カセット８８の上方であり、かつ前記スキャナ部１０９の下方に設けられる排紙空間１２８内に排出される。この排紙空間１２８には、コピー用紙Ｐが排紙トレイ１２９内に堆積されるようにして収容される。前記排紙トレイ１２９は、給紙カセット８８の上方で画像形成装置４１のハウジングの一部を形成し、前記排紙空間１２８に臨んで水平でかつ平坦な上面板１３０上に着脱自在に乗載されている。
【００６６】
前述の遮蔽部材５１は、電気絶縁性材料から成る。この電気絶縁性材料としては、厚みが０．１ｍｍの絶縁マイラ板が用いられる。このように遮蔽部材５１を電気絶縁性材料によって形成する理由は、導電性材料によって形成すると、転写手段４８の放電ワイヤ４７からの放電電流が遮蔽部材５１に集中するため、感光体ドラム４５の表面４４への転写するための放電電流が低減し、転写効率が低下するからである。このような不具合を回避するために、遮蔽部材５１として、電気絶縁性を有する材料を用いることによって、高い転写効率を維持でき、安定した転写性能を長期にわたって保つことができる。
【００６７】
シールドケース４６およびシールドケース４６に設けられる第１案内部材５０は、導電性を有する金属から成り、本実施の形態では、前記遮蔽部材５１は、転写手段４８付近を簡略化して示す図４に示されるように、凹状に形成されるシールドケース４６の開口部４９を覆うように前記第１案内部材５０の裏面１０１に固定して設けられる。このような構成によって、感光体ドラム４５に向けて放電された転写電流の一部が導電性のシールドケース４６および第１案内部材５０に流れ、これによってシールドケース４６および第１案内部材５０に流れる電流が増大して転写工程が妨害され、転写効率が低下することを防止することができる。
【００６８】
またさらに、図５に示すように、転写用放電ワイヤ４７の中心軸線９３および感光体ドラム４５の回転軸線４３間を結ぶ直線ｍ２と、感光体ドラム４５の表面４４とが交わる点を交点Ｃとしたとき、この交点Ｃを超えて感光体ドラム４５の回転方向Ｓ１下流側になるように、遮蔽部材５１の突出長を設定すると、転写領域５２が大幅に縮小され、転写するための放電電流が充分に感光体ドラム４５に供給されない。そのため、転写性能は低下し、転写効率の低下を引き起こす。したがって本実施形態においては、図４に示すように、遮蔽部材５１の先端部は、感光体ドラム４５の回転軸線４３と転写用放電ワイヤ４７の中心軸線９３とを結ぶ直線ｍ２よりも搬送方向上流側に配電されるので、転写領域５２を充分に確保することができ、転写不良を阻止することができる。
【００６９】
また、図１、図４および図５に示すように、遮蔽部材５１は、先端部に向かうにつれ、感光体ドラム４５からの距離が小さくなるように第１案内部材５０に固定されるので、コピー用紙Ｐと感光体ドラム４５との密着性がよくなり、転写領域５２内の転写位置５２ａを充分に確保することができ、高い転写効率を得ることができる。
【００７０】
図６は、感光体ドラム４５および遮蔽部材５１を長手方向に垂直な方向から見た図である。図６に示すように、感光体ドラム４５の回転軸線４３に沿う遮蔽部材５１の取付け長さＷ１は、感光体ドラム４５の表面４４上の軸線方向となる長手方向の有効画像形成領域４４ａの長さＷ２より大きく、有効画像形成領域４４ａを遮蔽部材５１が含む範囲にわたって延びるように、長手方向に垂直な長手方向両端部の延長線上の外側まで広げた長さに選ばれる。これによって、たとえば感光体ドラム４５の有効画像形成領域４４ａの長さより遮蔽部材５１の取付け長さが短いと、転写電流が有効画像形成領域４４ａに漏れて転写メモリが残る場合があるが、すなわち転写電流は、通常、感光体ドラム４５の回転と同期して出力され、転写材であるコピー用紙Ｐが転写領域５２に到達したときには転写の放電は開始されており、遮蔽部材５１の感光体ドラム４５の回転軸線方向の長さが短い場合、感光体ドラム４５の回転軸線方向の有効画像形成領域４４ａの端部においては、充分に転写電流を遮蔽できないことにより、感光体ドラム４５の表面４４に転写電流が流れ込み、これによって逆帯電電荷が感光体ドラム４５の表面４４に蓄積され、この電荷により、転写メモリ発生の原因となるが、上述したように構成することによって、このような不具合を確実に防ぐことができる。
【００７１】
また上述した構成によって、感光体ドラム４５への流れ込み電流による転写メモりを防止することを先に述べたが、さらに、有効画像形成領域４４ａの感光体ドラム４５の回転軸線方向端部において、トナーの飛び散り、ひいては、これが原因で文字太りや点状の多数の飛散画像が付着して、転写不良を生じるのを防止し、さらに、転写材であるコピー用紙Ｐの感光体ドラム４５の回転軸線方向端部の裏面汚れ等を防止することも、上述した構成による重要な効果である。
【００７２】
転写手段４８のコロナ放電を発する放電電極としては、種々のものがあるが、特に構造が簡単で、量産性に優れたものとして、図１，図４および図５に示されるように、シールドケース４６内に感光体ドラム４５の回転軸線４３に平行に一直線状に張架された放電ワイヤ４７が用いられる。この放電ワイヤ４７としては、直径が７０μｍのタングステンワイヤが用いられる。このように放電手段として放電ワイヤ４７を用いることによって、放電電極の構造が簡単となるので、高い量産性を得ることができるとともに、コストを低減させることができる。
【００７３】
図７は、本発明の実施の他の形態の画像形成装置の転写手段４８ａの一部を示す斜視図である。本実施形態における画像形成装置は上述した実施形態と類似しており、対応する部分には同一の参照符号を付し、その説明を省略する。本実施形態の転写手段４８ａは、転写用放電電極として、鋸歯状の放電部材１３２と、この放電部材１３２が収容され、長手方向に垂直な断面形状が凹状のシールドケース４６ａとを有する。放電部材１３２は、シールドケース４６ａの長手方向に沿って延びる細幅の板状の基部１３３と、基部１３３にその長手方向に間隔ΔＷ３をあけて一体的に形成される複数の突部１３４とを有する。各突部１３４の間隔ΔＷ３は、たとえば２ｍｍに選ばれる。また放電部材１３２の材料としては、ステンレス板が用いられる。このような転写手段４８ａを用いることによって、コロナ放電によるオゾン発生量を、放電電極として放電ワイヤを用いる転写手段４８ａに比べて、大幅に低減することができる。
【００７４】
以上の実施の各形態では、画像形成装置として複写機について説明したが、本発明の実施のさらに他の形態として、電子写真プロセスを用いるプリンタ、ファクシミリなどの画像形成装置についても同様に、実施することが可能である。
【００７５】
【発明の効果】
本発明に従えば、第１，第２および第３案内部材を設けることによって、転写領域の直前まで転写材を転写材の種類にかかわらず正確にかつ確実に案内することができ、転写領域に転写材を最適な経路を通って案内されるようにして、転写性能の低下を防ぐことができる。また垂直方向に下から上へ縦搬送させる画像形成装置においては、転写領域が感光体ドラムの真横付近に設置されることが多く、転写領域の下方に位置する転写材を搬送するためのレジストローラを飛散したトナーで汚す場合があるが、第３案内部材を転写領域の下方に配置することによって、上述したようなトナーによる汚れを防止でき、安定した高品質の画像を形成することができる。
【００７６】
また、第３案内部材を可撓性および弾発性を有する材料で構成することによって、転写材の腰の強さとも呼ばれる曲げ強度、あるいは厚さ等のばらつきがあっても第３案内部材が変形することで、吸収することができる。またこれによって転写材の種類が異なっても、感光体ドラムの表面に確実に搬送することができ、転写材の後端における転写不良などを防止できる。さらに、第３案内部材は、逆Ｖ字状の部材であり、感光体ドラムと第２案内部材との間に設けることによって、第３案内部材が転写領域の下方に配置され、第３案内部材が感光体ドラムの表面に沿って延びるカバー部分を有する逆Ｖ字状の形状を有する。そうすることによって、転写領域に確実に転写材を案内して高い転写性能を維持し、転写領域におけるトナー等の飛び散りが、その周辺下部のレジストローラおよび転写材の搬送経路に及ばないようにして、上述したようなトナーによる汚れを防止し、画質の低下を防止する。さらに、転写材の感光体ドラムへの非密着領域においては、不要な感光体ドラム上のトナーが飛散して付着して、文字太りや線画像の周辺に多数の点状の飛散画像がついて、転写不良を生じさせる場合があるが、上述したように遮蔽部材ならびに第１および第３案内部材が配置されることによって、上述したような転写不良を防止することができる。
【００７７】
また本発明によれば、第１案内部材における放電電極による放電電荷および転写材の搬送に伴い生じる摩擦帯電電荷を、第１案内部材を接地することによって、蓄積することなく逃がすことができる。これによって飛散トナーによる転写紙裏面の汚れを防止することができる。
【００７８】
また本発明によれば、遮蔽部材を導電性材料から構成すると、遮蔽部材に放電電流が集中して感光体ドラムへの放電電流が低減するので、感光体ドラムに流れる転写電流が低下し、転写効率低下を引き起こすが、遮蔽部材を電気絶縁性材料を用いることによって、高い転写効率を長期にわたって維持することができる。
【００７９】
また本発明によれば、シールドケースおよび第１案内部材が、導電性材料で構成されている場合において、第１案内部材の裏面に電気絶縁性材料から成る遮蔽部材を固定することによって、転写するための放電電流が無駄にシールドケースおよび第１案内部材に流れることが防止され、転写効率が低下して転写不良などが発生するのを防止することができる。
【００８０】
また本発明によれば、転写領域を充分に確保することができ、転写不良を防止することができる。
【００８１】
また本発明によれば、搬送手段より搬送されてきた転写材が、より感光体ドラムの表面に接しやすくなり、転写材と感光体ドラムとが密着する転写領域内の転写装置を充分に確保することにより、高効率の転写性能が得られる。
【００８２】
また本発明によれば、たとえば感光体ドラムの軸線方向の有効画像形成領域の長さに対して、遮蔽部材の長さが短いと、転写電流が画像域に漏れて転写メモリが残ることがあるが、このような不具合を確実に防止することができる。
【００８３】
また本発明によれば、放電電極の構造が簡単となり、量産性が高くなるとともに低コスト化を実現することができる。
【００８４】
また本発明によれば、放電ワイヤを放電電極として用いる場合に比べて、放電によって発生するオゾンの量を低減できる。
【００８５】
また本発明によれば、転写領域は、転写材を収容した給紙カセットの上方に配置されるから、感光体ドラムの表面などに捕捉されなかったトナーは、飛散し、浮遊し、あるいは沈降して、前記給紙カセット内の転写材に付着する。このようにトナーが給紙カセット内の転写材に沈積すると、そのトナーが転写材に付着されたままで給紙されて定着されてしまい、コピー画像の画質が低下してしまう。しかし、転写領域の下方に第３案内部材を配置し、また第３案内部材が逆Ｖ字状の部材であることによって、転写領域におけるトナー等の飛び散りが、その周辺下部の転写材の搬送経路に及ばないようにして、上記のようなトナーによる汚れを防止し、画像の低下を防止することができる。
【図面の簡単な説明】
【図１】本発明の実施の一形態の画像形成装置４１の一部を簡略化して示す断面図である。
【図２】図１に示される画像形成装置４１の全体の概略的構成を示す断面図である。
【図３】図２に示される画像形成装置４１の外観を示す斜視図である。
【図４】画像形成装置４１の転写手段４８付近を簡略化して示す断面図である。
【図５】転写手段４８における遮蔽部材５１の突出長を、仮に変化させて設定したときの状態を簡略化して示す断面図である。
【図６】感光体ドラム４５および遮蔽部材５１を長手方向に垂直な方向から見た図である。
【図７】本発明の実施の他の形態の画像形成装置の転写手段４８ａの一部を示す斜視図である。
【図８】典型的な従来の技術の画像形成装置１の一部を簡略化して示す断面図である。
【図９】図８の画像形成装置１の転写手段１１を示す簡略化して示す断面図である。
【図１０】他の従来の技術における転写手段を示す断面図である。
【図１１】さらに他の従来の技術の画像形成装置１ａの一部を簡略化して示す断面図である。
【符号の説明】
４１  画像形成装置
４５  感光体ドラム
４６  シールドケース
４７  放電ワイヤ
４８，４８ａ  転写手段
５０  第１案内部材
５１  遮蔽部材
５２  転写領域
５４  レジストローラ
５５  搬送手段
５６  第２案内部材
５７  第３案内部材
５８  定着手段
６１  帯電手段
６２  露光手段
６５  現像手段
７０  クリーニング手段
１０９  スキャナ部
１２４  画像形成部
１２６  給紙部
１３２  放電部材
Ｐ  コピー用紙
Ｓ１  感光体ドラム４５の回転方向
Ｓ３  現像ローラ６６の回転方向
【図１】
0003574349.tif 000002
【図２】
0003574349.tif 000003
【図３】
0003574349.tif 000004
【図４】
0003574349.tif 000005
【図５】
0003574349.tif 000006
【図６】
0003574349.tif 000007
【図７】
0003574349.tif 000008
【図８】
0003574349.tif 000009
【図９】
0003574349.tif 000010
【図１０】
0003574349.tif 000011
【図１１】
0003574349.tif 000012